(57)【特許請求の範囲】
【請求項１】
靴を履いた使用者の踵が接地したときに、使用者の足を踵を中心にしてつま先側を足の内側から外側に向けて回転する方向に回転させる回転トルクを発生する外旋底部材を踵部に形成するとともに、靴を履いた使用者の小指球が接地したときに、使用者の足を小指球部を中心にしてつま先側を足の外側から内側に向けて回転する方向に回転させる回転トルクを発生する内旋底部材を小指球部に形成し、前記外旋底部材又は内旋底部材は、断面三角形状の突起を放射状に配設して形成したことを特徴とする靴底。
【請求項２】
前記外旋底部材は、内旋底部材よりも大きな回転トルクを発生させるように形成したことを特徴とする請求項１に記載の靴底。
【請求項３】
靴を履いた使用者の踵が接地したときに、使用者の足を踵を中心にしてつま先側を足の内側から外側に向けて回転する方向に回転させる回転トルクを発生する外旋底部材を踵部に形成するとともに、靴を履いた使用者の小指球が接地したときに、使用者の足を小指球部を中心にしてつま先側を足の外側から内側に向けて回転する方向に回転させる回転トルクを発生する内旋底部材を小指球部に形成し、前記外旋底部材又は内旋底部材は、断面三角形状の突起を放射状に配設して形成したことを特徴とする靴。
【請求項４】
前記外旋底部材は、内旋底部材よりも大きな回転トルクを発生させるように形成したことを特徴とする請求項３に記載の靴。
【発明の詳細な説明】
【技術分野】
【０００１】
本発明は、靴及び靴底に関するものである。
【背景技術】
【０００２】
従来、本発明者らは、変形性膝関節症の予防や治癒を目的として、接地時に外旋方向の回転トルクを発生する靴底部材を靴底の踵部に形成した靴を発明した（特許文献１参照。）。
【０００３】
その後、さらに鋭意研究を重ねたところ、変形性膝関節症や内反足や変形性股関節症などで関節機能に異常が生じている場合には、理想的な歩行形態として知られる「あおり歩行」とは異なる形態の歩行が観察されることから、歩行形態を「あおり歩行」に矯正することで、変形性膝関節症や内反足や変形性股関節症などの関節機能に異常が生じている症状を治癒することができ、また、その予防にもなるとの知見を得た。
【０００４】
【特許文献１】国際公開ＷＯ２００６／１１２１６９号公報
【発明の開示】
【発明が解決しようとする課題】
【０００５】
そこで、本発明では、変形性膝関節症や内反足や変形性股関節症などの関節機能に異常が生じている症状を治癒し、また、その予防を行うことを目的として、歩行形態を「あおり歩行」に矯正することができる靴底及びその靴底を有する靴を提供するものである。
【課題を解決するための手段】
【０００６】
請求項１に係る本発明では、靴底において、靴を履いた使用者の踵が接地したときに、使用者の足を踵を中心にしてつま先側を足の内側から外側に向けて回転する方向に回転させる回転トルクを発生する外旋底部材を踵部に形成するとともに、靴を履いた使用者の小指球が接地したときに、使用者の足を小指球部を中心にしてつま先側を足の外側から内側に向けて回転する方向に回転させる回転トルクを発生する内旋底部材を小指球部に形成することにした。
【０００７】
また、請求項１に係る本発明では、前記外旋底部材又は内旋底部材は、断面三角形状の突起を放射状に配設して形成することにした。
【０００８】
また、請求項２に係る本発明では、前記請求項１に係る本発明において、前記外旋底部材は、内旋底部材よりも大きな回転トルクを発生させるように形成することにした。
【０００９】
また、請求項３に係る本発明では、靴底を有する靴において、靴を履いた使用者の踵が接地したときに、使用者の足を踵を中心にしてつま先側を足の内側から外側に向けて回転する方向に回転させる回転トルクを発生する外旋底部材を踵部に形成するとともに、靴を履いた使用者の小指球が接地したときに、使用者の足を小指球部を中心にしてつま先側を足の外側から内側に向けて回転する方向に回転させる回転トルクを発生する内旋底部材を小指球部に形成することにした。
【００１０】
また、請求項３に係る本発明では、前記外旋底部材又は内旋底部材は、断面三角形状の突起を放射状に配設して形成することにした。
【００１１】
また、請求項４に係る本発明では、前記請求項３に係る本発明において、前記外旋底部材は、内旋底部材よりも大きな回転トルクを発生させるように形成することにした。
【発明の効果】
【００１２】
そして、本発明では、以下に記載する効果を奏する。
【００１３】
すなわち、本発明では、接地時に外旋方向の回転トルクを発生する外旋底部材を靴底の踵部に形成するとともに、接地時に内旋方向の回転トルクを発生する内旋底部材を靴底の小指球部に形成しているために、踵部の接地時に外旋底部材によって外旋方向の回転トルクが生じ、これにより、踵部から小指球部への体重移動が円滑に行え、その後、小指球部の接地時に内旋底部材によって内旋方向の回転トルクが生じ、これにより、小指球部からつま先への体重移動が円滑に行え、歩行形態を理想的な「あおり歩行」に矯正することができ、変形性膝関節症や内反足や変形性股関節症などの関節機能に異常が生じている症状を治癒し、また、その予防を行うことができる。
【００１４】
特に、断面三角形状の突起を放射状に配設することによって外旋底部材又は内旋底部材を形成した場合には、外旋底部材や内旋底部材で発生する回転トルクが接地圧力に応じて増減することになり、外旋底部材や内旋底部材で使用者の体重や地面の硬さなどに応じた回転トルクを発生させることで使用者や使用状況に応じた理想的な「あおり歩行」に矯正することができる。
【００１５】
また、内旋底部材よりも大きな回転トルクを発生させるように外旋底部材を形成した場合には、使用者の歩行形態をより一層理想的な「あおり歩行」に矯正することができる。
【発明を実施するための最良の形態】
【００１６】
以下に、本発明に係る靴底及び靴底を有する靴の具体的な構成について図面を参照しながら説明する。
【００１７】
図１に示すように、本発明に係る靴１は、靴底２の裏側の踵部に接地時に外旋方向（踵を中心にして足の内側から外側に向けて回転する方向）の回転トルクを発生する外旋底部材３を形成するとともに、靴底２の裏側の小指球部に接地時に内旋方向（小指球部を中心にして足の外側から内側に向けて回転する方向）の回転トルクを発生する内旋底部材４を形成している。
【００１８】
ここで、靴底２は、ゴム製の弾性体で形成しており、別体で形成したゴム製の弾性体からなる外旋底部材３や内旋底部材４を貼着して靴底２を構成してもよく、また、靴底２の裏面に外旋底部材３や内旋底部材４を一体的に形成してもよい。
【００１９】
外旋底部材３は、図１及び図２に示すように、円筒状の周壁５の内部に複数個（ここでは、８個）の断面直角三角形状の弾性を有する突起6a〜6hを放射状に等間隔で配置して形成しており、各突起6a〜6hの傾斜面を底面視で反時計回りに配列させている。
【００２０】
これにより、外旋底部材３では、靴１を履いた使用者の踵が接地したときに、円周方向に配列した全ての突起6a〜6hの先端部が徐々に撓んで弾性変形し、その反力で使用者の足を外旋方向に向けて回転させる回転トルクを発生することができるようになっている。
【００２１】
特に、外旋底部材３は、突起6a〜6hの断面形状を三角形とすることで、接地時に突起6a〜6hの先端部から徐々に撓むことになり、外旋底部材３で発生する回転トルクが使用者の体重や地面の硬さなどに起因する接地圧力に応じて増減するようになっている。
【００２２】
また、内旋底部材４は、図１及び図３に示すように、円筒状の周壁７の内部に複数個（ここでは、８個）の断面直角三角形状の弾性を有する突起8a〜8hを放射状に等間隔で配置して形成しており、各突起8a〜8hの傾斜面を底面視で時計回りに配列させている。
【００２３】
これにより、内旋底部材４では、靴１を履いた使用者の小指球が接地したときに、円周方向に配列した全ての突起8a〜8hの先端部が徐々に撓んで弾性変形し、その反力で使用者の足を内旋方向に向けて回転させる回転トルクを発生することができるようになっている。
【００２４】
特に、内旋底部材４は、突起8a〜8hの断面形状を三角形とすることで、接地時に突起8a〜8hの先端部から徐々に撓むことになり、内旋底部材４で発生する回転トルクが使用者の体重や地面の硬さなどに起因する接地圧力に応じて増減するようになっている。
【００２５】
この内旋底部材４は、外径を外旋底部材３の７／１０とし、高さを外旋底部材３の５／８として、外旋底部材３で発生する回転トルクを内旋底部材４で発生する回転トルクよりも大きくなるようにしている。
【００２６】
そして、靴１では、図４に示すように、靴底２の踵部を接地した時に、靴底２の踵部に形成した外旋底部材３の作用で外旋方向の回転トルクが生じることになり、これにより、踵部から小指球部への体重移動が円滑に行えるようになり、その後、靴底２の小指球部を接地した時に、靴底２の小指球部に形成した内旋底部材４の作用で内旋方向の回転トルクが生じることになり、これにより、小指球部からつま先への体重移動が円滑に行えるようになり、理想的な歩行形態である「あおり歩行」と同様の体重移動が行えるようになっている。
【００２７】
なお、「あおり歩行」とは、人間の正常な歩行形態であり、踵の外側から接地し、踵の内側に体重移動が行われ、その後、小指の付け根側に体重移動が行われ、小指の付け根から親指の付け根へと体重移動が行われ、親指の付け根で蹴り出す歩行形態である。
【００２８】
このように、上記靴１及び靴底２では、接地時に外旋方向の回転トルクを発生する外旋底部材３を踵部に形成するとともに、接地時に内旋方向の回転トルクを発生する内旋底部材４を小指球部に形成しているために、踵部の接地時に外旋底部材３によって外旋方向の回転トルクが生じ、これにより、踵部から小指球部への体重移動が円滑に行え、その後、小指球部の接地時に内旋底部材４によって内旋方向の回転トルクが生じ、これにより、小指球部からつま先への体重移動が円滑に行え、歩行形態を理想的な「あおり歩行」に矯正することができ、変形性膝関節症や内反足や変形性股関節症などの関節機能に異常が生じている症状を治癒し、また、その予防を行うことができる。
【００２９】
また、上記靴１及び靴底２では、断面三角形状の突起6a〜6h,8a〜8hを放射状に配設することによって外旋底部材３や内旋底部材４を形成しているために、外旋底部材３や内旋底部材４で発生する回転トルクが接地圧力に応じて増減することになり、たとえば、使用者の体重が軽い場合には小さな回転トルクが生じ、使用者の体重が重い場合には大きな回転トルクが生じ、また、土などの軟らかい地面では小さな回転トルクが生じ、アスファルトなどの硬い地面では大きな回転トルクが生じる。このように、上記靴１及び靴底２では、外旋底部材３や内旋底部材４で使用者の体重や地面の硬さなどに応じた回転トルクを発生させることで、使用者や使用状況に応じた理想的な「あおり歩行」に矯正することができる。
【００３０】
また、上記靴１及び靴底２では、内旋底部材４よりも大きな回転トルクを発生させるように外旋底部材３を形成しているために、歩行形態をより一層理想的な「あおり歩行」に矯正することができる。
【図面の簡単な説明】
【００３１】
【図１】本発明に係る靴及び靴底を示す底面図(a)及び側面図(b)。
【図２】外旋底部材を示す底面図(a)及び側面図(b)。
【図３】内旋底部材を示す底面図(a)及び側面図(b)。
【図４】歩行時の体重移動を示す説明図。
【符号の説明】
【００３２】
１  靴
２  靴底
３  外旋底部材
４  内旋底部材
５  周壁
6a〜6h  突起
７  周壁
8a〜8h  突起
【図１】
0004357550.tif 000002
【図２】
0004357550.tif 000003
【図３】
0004357550.tif 000004
【図４】
0004357550.tif 000005